(57)【要約】【課題】処理槽内への内視鏡の載置手順を経験の浅い作業者であっても正しく認識できるようにする。【解決手段】リプロセスを施す処理槽５８内にセットされる内視鏡用保持網１は、操作部１０２、挿入部１０３、ユニバーサルコード１０４、コネクタ１０５を有する内視鏡１０１に対して、最初に載置する操作部１０２を保持する第１操作部保持部３ａと、２番目に載置する挿入部１０３を保持する挿入部保持部２ａと、３番目に載置するコネクタ１０５を保持する第１コネクタ保持部３ｂと、挿入部保持部２ａ、及び第１コネクタ保持部３ｂを所定の載置手順で指標表示させる発光強調部３１，３６Ａ〜３６Ｃとを有する。【選択図】図１
2014226153.tif 000002
【特許請求の範囲】
【請求項１】
第１部位と第２部位と第３部位とを有する内視鏡に対してリプロセスを施す処理槽内に配置され、
前記処理槽内に、最初に載置する前記第１部位を保持する第１保持部と、
２番目に載置する前記第２部位を保持する第２保持部と、
３番目に載置する前記第３部位を保持する第３保持部と、
前記第２保持部、前記第３保持部の順に、前記第２保持部及び前記第３保持部を強調する強調部と、を含むことを特徴とする内視鏡用保持網。
【請求項２】
前記第１保持部に前記第１部位が配置されたことを検知する第１検知部と、
前記第２保持部に前記第２部位が配置されたことを検知する第２検知部と、
前記第３保持部に前記第３部位が配置されたことを検知する第３検知部と、を含み、
前記強調部は、
前記第１検知部の検知信号を受信後、前記第２保持部を強調し、
前記第２検知部の検知信号を受信後、前記第３保持部を強調することを特徴とする請求項１記載の内視鏡用保持網。
【請求項３】
前記強調部は、前記第２保持部及び前記第３保持部を発光させる発光体であることを特徴とする請求項１または２に記載の内視鏡用保持網。
【請求項４】
前記強調部は、前記第２保持部及び前記第３保持部を変色させる可変色体であることを特徴とする請求項１〜３の何れか１項に記載の内視鏡用保持網。
【請求項５】
外部からの信号を受信して前記強調部に伝送する第１接続部と、
前記第１検知部、前記第２検知部、及び前記第３検知部からの信号を受信して外部に送信する第２接続部と、を含むことを特徴とする請求項１〜４のいずれかに記載の内視鏡用保持網。
【請求項６】
請求項５に記載の内視鏡用保持網と、
窪みを有し前記窪みに前記内視鏡用保持網を配置する処理槽と、
前記第１接続部に接触し、前記第１接続部を通じて前記強調部に信号を伝送する第１信号部と、
前記第２接続部に接触し、前記第２接続部を通じて前記第１検知部、前記第２検知部、及び前記第３検知部からの信号を受信する第２信号部と、を含むことを特徴とする内視鏡用リプロセス装置。
【請求項７】
前記内視鏡に設けられた内視鏡識別情報を読み取る情報読取部と、
前記情報読取部で読み取った前記内視鏡識別情報に基づき前記第１信号部を通じて前記強調部を制御する第１信号制御部と、を含むことを特徴とする請求項６に記載の内視鏡用リプロセス装置。
【請求項８】
前記内視鏡の識別情報を外部から入力する情報入力部と、
前記内視鏡情報入力部に入力された前記識別情報に基づき前記第１信号部を通じて前記強調部を制御する第１信号制御部と、を含むことを特徴とする請求項６或いは７に記載の内視鏡用リプロセス装置。
【発明の詳細な説明】
【技術分野】
【０００１】
本発明は、使用済みの内視鏡を載置して、この内視鏡にリプロセスを施す内視鏡保持網、及びそれを備える内視鏡用リプロセス装置に関する。
【背景技術】
【０００２】
従来、医療分野において使用される内視鏡は、内視鏡検査を行う毎に洗浄処理、消毒処理、滅菌処理、或いはそれらを組み合わせた処理等のリブロセスを行う。使用済みの内視鏡に対してリプロセスを行うに際しては、このリプロセス装置の処理槽内に使用済みの内視鏡を正しく設置する必要がある。
【０００３】
例えば、説明書に記載の正しい手順で内視鏡を所定の位置に設置しないと、各内視鏡の部位に無理な力が加えられたり、リプロセスが不十分となったりする虞がある。
【０００４】
この対策として、例えば、特許文献１（特開２００９−１７２０５５号公報）には、処理槽の底面、或いは内視鏡保持トレーの底面に、内視鏡の配置位置を告知する位置決め突起、仕切り、着色部等を設け、内視鏡を規定の位置に配置させるようにした技術が開示されている。
【先行技術文献】
【特許文献】
【０００５】
【特許文献１】特開２００９−１７２０５５号公報
【発明の概要】
【発明が解決しようとする課題】
【０００６】
しかし、上述した文献に開示されている技術は、或る特定の内視鏡を想定して位置決め突起等が予め設定されるため、異なる機種の内視鏡に対しては対応することができず、或いは、機種毎に内視鏡保持トレーを準備しておく必要があり、使い勝手が悪いという課題がある。
【０００７】
本発明は上記事情に鑑み、処理槽内への内視鏡の載置手順を正しく認識させることのできる内視鏡用保持網、及びそれを備える内視鏡用リプロセス装置を提供することを目的としている。
【課題を解決するための手段】
【０００８】
本発明による内視鏡用保持網は、第１部位と第２部位と第３部位とを有する内視鏡に対してリプロセスを施す処理槽内に配置され、前記処理槽内に、最初に載置する前記第１部位を保持する第１保持部と、２番目に載置する前記第２部位を保持する第２保持部と、
３番目に載置する前記第３部位を保持する第３保持部と、前記第２保持部、前記第３保持部の順に、前記第２保持部及び前記第３保持部を強調する強調部と、を含む。
【０００９】
本発明による内視鏡用リプロセス装置は、前記内視鏡用保持網と、窪みを有し前記窪みに前記内視鏡用保持網を配置する処理槽と、前記内視鏡用保持網に設けた第１接続部に接触し、前記第１接続部を通じて前記強調部に信号を伝送する第１信号部と、前記内視鏡用保持網に設けた第２接続部に接触し、前記第２接続部を通じて前記内視鏡用保持網に設けた第１検知部、第２検知部、及び第３検知部からの信号を受信する第２信号部と、を含む。
【発明の効果】
【００１０】
本発明によれば、使用済み内視鏡に対してリプロセスを施すべく、内視鏡を内視鏡用保持網に載置するに際し、保持網の各部位が順番に強調されるので、載置手順を正しく認識させることができる。
【図面の簡単な説明】
【００１１】
【図１】内視鏡用保持網の平面図
【図２】図１のII部拡大図
【図３】図２のIII-III断面図
【図４】各部材に設けた発光強調部の拡大図
【図５】（ａ）は片面に光源部を有する発光強調部の断面図、（ｂ）は両面に光源部を有する発光強調部の断面図
【図６】内視鏡用リプロセス装置、及び内視鏡の斜視図
【図７】内視鏡用リプロセス装置に設けられたピン端子部の断面図
【図８】内視鏡用リプロセス装置に設けられている処理槽の俯瞰図
【図９】図８の処理槽に１本の内視鏡を載置した状態の俯瞰図
【図１０】図８の処理槽に２本の内視鏡を載置した状態の俯瞰図
【図１１】内視鏡用リプロセス装置の内部回路の構成の概略を示すブロック図
【図１２】リプロセスルーチンを示すフローチャート
【図１３】スコープＩＤ認識処理サブルーチンを示すフローチャート
【図１４】内視鏡用保持網に内視鏡の操作部を載置した状態を示す要部斜視図
【図１５】内視鏡用保持網に内視鏡の挿入部を載置した状態を示す要部斜視図
【図１６】内視鏡用保持網に内視鏡のユニバーサルコードを載置した状態を示す要部斜視図
【図１７】内視鏡用保持網の延出載置部に第１内視鏡の操作部を載置した状態の要部斜視図
【図１８】内視鏡用保持網に延出載置部に第１内視鏡の操作部とコネクタとを載置した状態の要部斜視図
【発明を実施するための形態】
【００１２】
以下、図面に基づいて本発明の一実施形態を説明する。図１に示す内視鏡用保持網１は、図６に示す内視鏡用リプロセス装置５１にセットされ、使用済み内視鏡を所定に位置決めした状態で保持するものである。又、内視鏡用リプロセス装置５１は、内視鏡用保持網１に保持された使用済み内視鏡に対し、所定の手順に従ってリプロセスを行う。
【００１３】
内視鏡用保持網１は、内視鏡を保持することが可能である。保持する内視鏡の本数は特に限定されず、一本のみでも良いし、複数であってもよい。図６に示す二本の内視鏡、すなわち、第１内視鏡１０１、及び第２内視鏡１１１は、第１部位である操作部１０２，１１２、この操作部１０２，１１２から延出する第２部位である挿入部１０３，１１３、操作部１０２，１１２の側部から延出するユニバーサルコード１０４、１１４、及び、このユニバーサルコード１０４、１１４の終端に固設されている第３部位であるコネクタ１０５，１１５を備えている。尚、この各内視鏡１０１，１１１は例示であり、リブロセスの対象となる使用済みの内視鏡はこれに限定されるものではなく、例えば、挿入部１０３，１１３は、機種毎に長さや、直径が相違しており、又、機種によってはユニバーサルコード１０４，１１４を備えていないものもある。
【００１４】
又、挿入順序を示す、第１部位、第２部位、および第３部位は内視鏡の種類により入れ替わる場合もある。また、内視鏡は３つの部位よりも多くの部位を有していてもよく、例えば第４の部位、第５の部位を有するものであってもよい。この場合、内視鏡用保持網１はこれに対応して第４の部位、第５の部位を保持する部位を有していてもよく、これらの部位には第２の部位、第３の部位と同様の機能を有することができる。
【００１５】
この内視鏡用保持網１は、少なくとも表面が絶縁性を有する細径の中空管を屈曲或いは折り曲げ、それらを接合して形成されており、平面視において環状の環状載置部２と、この環状載置部２の一側から外周方向へ延在する延出載置部３とを備え、更に、環状載置部２の内周に、後述する付属品洗浄ケース５９上に載置される枠体４が形成されている。尚、以下において、中空管と称する場合、全て絶縁性を有しているものとする。尚、内視鏡保持網１の材質としては特に限定されないが、例えば樹脂が挙げられる。
【００１６】
又、内視鏡用保持網１は、内視鏡１０１，１１１の各部位を保持する位置が決められている。すなわち、環状載置部２は、その外周側に、各内視鏡１０１，１１１の挿入部１０３，１１３を巻回して保持する第２保持部としての挿入部保持部２ａが設定され、内周側に各内視鏡１０１，１１１のユニバーサルコード１０４、１１４を巻回して保持するユニバーサル保持部２ｂが設定されている。又、延出載置部３は第１内視鏡１０１の操作部１０２を保持する第１保持部としての第１操作部保持部３ａと、その右側にコネクタ１０５を保持する第３保持部としての第１コネクタ保持部３ｂと、この領域の左隣に設けられて第２内視鏡１１１の操作部１１２を保持する第２操作部保持部３ｃと、その右隣に設けられてコネクタ１１５を保持する第２コネクタ保持部３ｄとが設定されている。
【００１７】
又、挿入部１０３，１１３を保持する挿入部保持部２ａの外周と内周とが、所定間隔を置いて配設された挿入部外周係止部１１ａ，１１ｂと挿入部内周係止部１２とで区画されている。又、ユニバーサルコード１０４，１１４を保持するユニバーサル保持部２ｂの外周と内周とが、所定間隔毎に配設されたユニバーサル外周係止部１３とユニバーサル内周係止部１４とで区画されている。
【００１８】
更に、挿入部１０３，１１３を保持する挿入部保持部２ａの外周を区画する挿入部外周係止部１１ａ，１１ｂは、中空管をＵ字状に曲げると共にＬ字状に曲げて形成されており、その底部が環状載置部２に接合されている。又、挿入部保持部２ａの内周を区画する挿入部内周係止部１２は中空管をＬ字状に曲げ形成し、その底部が挿入部外周係止部１１ａ，１１ｂの底部に接合されている。
【００１９】
又、ユニバーサルコード１０４，１１４を保持するユニバーサル保持部２ｂの外周を区画するユニバーサル外周係止部１３は、中空管をΩ状に曲げると共に、延出載置部３と枠体４を挟んでほぼ対向する側に複数所定間隔を開けて配設され、その底部が挿入部外周係止部１１ａ，１１ｂの底部に接合されている。更に、このユニバーサル外周係止部１３の上部にフック１３ａが、上部を環状載置部２と平行に内周方向へ屈曲されて形成されている。又、ユニバーサル保持部２ｂの内周を区画するユニバーサル内周係止部１４は、中空管をＵ字状に曲げると共にＬ字状に曲げて形成されており、その底部が環状載置部２に接合されている。
【００２０】
図１０に示すように、内視鏡用保持網１の挿入部保持部２ａに対し、内視鏡１０１，１１１の挿入部１０３，１１３は時計回り方向に巻回され、一方、ユニバーサル保持部２ｂに対し、ユニバーサルコード１０４，１１４は反時計回り方向に巻回される。従って、ユニバーサルコード１０４，１１４の終端に固設されているコネクタ１０５，１１５は延出載置部３に対し、右手方向から臨まされてセットされる。
【００２１】
環状載置部２には、ユニバーサルコード１０４，１１４の終端付近の外周を係止する終端係止部１５が形成されている。この終端係止部１５は中空管をＵ字状に曲げると共にＬ字状に曲げて形成されており、その底部が環状載置部２に接合されて、環状載置部２から外径方向へ突出されている。更に、この終端係止部１５の上部にフック１５ａが、上部を環状載置部２と平行に内周方向へ屈曲させて形成されている。
【００２２】
又、この終端係止部１５の内周側に基部係止部１６が配設されている。この基部係止部１６は、上述した挿入部内周係止部１２と同一の構成を有しており、その底部が終端係止部１５に接合されている。この基部係止部１６により延出載置部３の第１、第２操作部保持部３ａ，３ｃに保持された操作部１０２，１１２から時計回り方向に延出する挿入部１０３，１１３の基部が係止される。
【００２３】
一方、延出載置部３は、環状載置部２から延出する支持フレーム１７に支持されており、第１内視鏡１０１のコネクタ１０５を保持する第１コネクタ保持部３ｂに設けた第１載置フレーム１８と、第２内視鏡１１１のコネクタ１１５を保持する第２コネクタ保持部３ｄに設けた第２載置フレーム１９とを有している。第１載置フレーム１８は中空管を枠状に屈曲すると共にＬ字状に曲げて底部１８ａと、そこから立設された第１仕切部１８ｂとが形成され、底部１８ａが支持フレーム１７に接合され、第１仕切部１８ｂが第１コネクタ保持部３ｂと第２コネクタ保持部３ｄとの間に臨まされている。
【００２４】
又、第２載置フレーム１９は略長方形状を有し、支持フレーム１７に対して長手方向が交差する方向へ延在された状態で接合されており、その一端が第２操作部保持部３ｃ方向へ延在されている。更に、この第２載置フレーム１９の他端が第２コネクタ保持部３ｄ方向へ延在されている。この第２載置フレーム１９は中空管を略長方形に形成し、第２操作部保持部３ｃ側を折り返して、第１操作部保持部３ａと第１コネクタ保持部３ｂとの間に臨まされ、その端部が上方へ屈曲されて第２仕切部１９ａを形成している。又、第２コネクタ保持部３ｄ側の端部が上方へ曲げ形成されてコネクタ係止部１９ｂが形成されている。
【００２５】
又、この第２載置フレーム１９の第２コネクタ保持部３ｄの底面に、樹脂等の絶縁性を有する中空管からなるコネクタバー２０が接合されている。このコネクタバー２０の先端部は支持フレーム１７の延出方向とほぼ同じ方向へ延出され、この先端部にピン端子部２１が一体形成されている。図２に示すように、このピン端子部２１の外周には、後述する操作部パート用発光強調部３６Ｃに対応する操作部パート用接点２２ａ、コネクタパート用発光強調部３６Ｂに対応するコネクタパート用接点２２ｂ、各挿入部パート用発光強調部３１に対応する挿入部パート用接点群２２ｃ、各ユニバーサルパート用発光強調部３６Ａに対するユニバーサルパート用接点群２２ｄ、後述する各パートセンサ２５〜２９に対応するセンサ用接点群２２ｅが、先端から基部側へリング状に所定間隔を開けて配設されている。この中で、各パート用接点２２ａ，２２ｂ、及び各パート用接点群２２ｃ，２２ｄが、本発明の第１接続部に対応し、又、センサ用接点群２２ｅが本発明の第２接続部に対応している。
【００２６】
更に、図３に示すように、コネクタバー２０内にはパート用接点２２ａ，２２ｂ、及びパート用接点群２２ｃ〜２２ｅを接続する配線基板２３が装着されている。尚、後述するが、このピン端子部２１は内視鏡用リプロセス装置５１に設けられているピンジャック部６４に挿通して電気的に接続される。
【００２７】
図１に示すように、延出載置部３の第１載置フレーム１８には、第１内視鏡１０１のコネクタ１０５の載置状態を検出する第３検知部としての第１コネクタパートセンサ２５が設けられている。又、第２載置フレーム１９の第１操作部保持部３ａに、操作部１０２の載置状態を検出する第１検知部としての第１操作部パートセンサ２６が設けられ、第２操作部保持部３ｃに操作部１１２の載置状態を検出する第２操作部パートセンサ２７が設けられている。更に、この第２載置フレーム１９の第２コネクタ保持部３ｄにコネクタ１１５の載置状態を検出する第２コネクタパートセンサ２８が設けられている。更に、挿入部外周係止部１１ｂに、挿入部１０３，１１３の巻回状態を検出する第２検知部としての挿入部パートセンサ２９が設けられている。尚、環状載置部２を形成する各中空管内は互いに連通されており、更に、延出載置部３を形成する中空管内も互いに連通されており、この両載置部２，３の中空管内が支持フレーム１７を形成する中空管内に連通されている。
【００２８】
上述した各パートセンサ２５〜２９から延出するリード線（図示せず）は、この中空管内を経てコネクタバー２０の中空管内に配線され、配線基板２３に接続されている。
【００２９】
又、図４（ａ）に示す同一の構成を有するＬ字状の挿入部内周係止部１２と基部係止部１６の立設部１２ａ，１６ａに、第１内視鏡１０１の挿入部１０３をガイドする挿入部パート用発光強調部３１が一体形成されている。
【００３０】
図５（ａ）に示すように、この挿入部パート用発光強調部３１は、発光により指標表示する棒状表示部３２と光源部３３とで構成された片面発光強調部である。棒状表示部３２は透明なプラスチック製のコア材３２ａと、その外周を覆う、コア材３２ａよりも屈折率の小さい透明なプラスチック製のクラッド材３２ｂとを有している。光源部３３は棒状表示部３２の下端に固設されており、棒状表示部３２に光を供給するＬＥＤ等の発光素子３３ａを有し、この発光素子３３ａが基板３３ｂに固設されている。更に、この基板３３ｂから延出するリード線３４ａ，３４ｂが、環状載置部２を形成する各中空管内を通り、支持フレーム１７の中空管内、及び第２載置フレーム１９の中空管内を介してコネクタバー２０の中空管内に配線されて、配線基板２３に接続されている。
【００３１】
尚、強調部としては、内視鏡用保持網１を順番に発光させる発光体の他、内視鏡用保持網１を順番に変色させる可変色体を用いてもよい。又、内視鏡用保持網１を変色させる方法としては、内視鏡用保持網１を透明または半透明にして、内部に配置した色付きの発光素子を発光させる方法や、内視鏡用保持網１を熱で変色する材質で形成して加熱または吸熱により変色させる方法などの従来公知の変色技術を用いることができる。
【００３２】
又、図４（ｂ）〜（ｅ）に示すように、ユニバーサル内周係止部１４の立設部１４ａ、終端係止部１５のフック１５ａにユニバーサルパート用発光強調部３６Ａが一体形成されている。又、第１載置フレーム１８の第１仕切部１８ｂにコネクタパート用発光強調部３６Ｂが一体形成されている。更に、第２載置フレーム１９の第２仕切部１９ａに操作部パート用発光強調部３６Ｃが一体形成されている。
【００３３】
この各パート用発光強調部３６Ａ〜３６Ｃは構成が共通しているため、図５（ｂ）に両面発光強調部３６として包括的に示す。同図に示すように、両面発光強調部３６は、発光により指標表示する棒状表示部３７と光源部３８とで構成されている。棒状表示部３７は透明なプラスチック製のコア材３７ａと、その外周を覆う、コア材３７ａよりも屈折率の小さい透明なプラスチック製のクラッド材３７ｂとを有している。
【００３４】
又、光源部３８は棒状表示部３７の両端に固設されており、棒状表示部３７に光を供給するＬＥＤ等の発光素子３８ａを有し、この発光素子３８ａが基板３８ｂに固設されている。更に、この基板３８ｂから延出するリード線３９ａ，３９ｂが環状載置部２を形成する各中空管内を通り、支持フレーム１７の中空管内、及び第２載置フレーム１９の中空管内を介してコネクタバー２０の中空管内に挿通されて、配線基板２３に接続されている。
【００３５】
上述した各発光強調部３１（３６）は、光源部３３（３８）に設けられている発光素子３３ａ（３８ａ）から出射した光が、棒状表示部３２（３７）のコア材３２ａ（３７ａ）に入射されると、散乱されてクラッド材３２ｂ（３７ｂ）から出射されて発光される。
【００３６】
次に、上述したような構成を有する内視鏡用保持網１をセットする内視鏡用リプロセス装置５１の一例を説明する。図６に示すように、内視鏡用リプロセス装置５１は、使用済みの内視鏡１０１，１１１に対し、洗浄・消毒・滅菌等のリプロセスを行うための装置であり、装置本体５２と、その上を開閉するトップカバー５３とで主要部が構成されている。
【００３７】
トップカバー５３は後部が支持された状態で前部が開閉自在にされており、トップカバー５３が閉じている状態では、その前部に設けられているラッチ部５４が装置本体５２にロックされて水密状態が保持される。尚、装置本体５２の内部には、洗浄液、消毒液などの各種液体を貯蔵する各種タンク、各種タンクから各種液体を、後述する処理槽５８及び内視鏡１０１，１１１の内部の管路へ供給するための各種ポンプ、洗浄消毒工程の各工程に応じて各種ポンプ及び各種弁を制御する制御部６（図１１参照）等が搭載されている。
【００３８】
又、装置本体５２の上面前部には、右側に通常操作されるメイン操作部５５が設けられ、左側に情報読取部としての無線ＩＤ送受信部５６が設けられている。メイン操作部５５には、装置本体５２の洗浄・消毒・滅菌等のリプロセスをスタートさせるスタートスイッチや停止させるストップスイッチ、及び洗浄・消毒・滅菌等のリプロセスモードを選択する選択スイッチ等の各種スイッチ類、及び表示部が所定に配設されている。
【００３９】
又、無線ＩＤ送受信部５６は作業者の所有するＩＤカードを近接させることで作業者の識別情報（ユーザＩＤ）を読み取ると共に、内視鏡を近接させることで、当該内視鏡に内蔵されているスコープＩＤタグから内視鏡識別情報（スコープＩＤ）を読み取る。この無線ＩＤ送受信部５６で読み取られたユーザＩＤ、及びスコープＩＤは制御部６へ送信されて、識別される。尚、内視鏡にスコープＩＤタグが内蔵されていない場合、作業者はユーザＩＤを読み取らせた後、当該内視鏡のスコープＩＤをメイン操作部５５に設けられているスイッチにより外部から手動で入力し、制御部６に認識させることもできる。
【００４０】
又、装置本体５２の後部右端に、装置本体５２に水道水を供給するための、水道蛇口に接続された給水ホース（図示せず）を接続する給水ホース接続口５７が配設されている。更に、装置本体５２の略中央に処理槽５８が設けられている。この処理槽５８は、一度に２本の内視鏡１０１，１１１のリプロセスが可能であり、二本の内視鏡を収納可能な槽本体５８ａと、この槽本体５８ａの後部に設けられたテラス部５８ｂとを有している。尚、この槽本体５８ａに内視鏡用保持網１（図１参照）がセットされ、この内視鏡用保持網１に対して使用済みの内視鏡１０１，１１１の各部位を、予め決められた位置に載置する。
【００４１】
又、この槽本体５８ａは窪み状に形成され、この窪みの底部に排水口５８ｃが設けられており、この排水口５８ｃから槽本体５８ａに供給された洗浄液、水、アルコール、消毒液等の液体を排出させることができる。更に、槽本体５８ａの壁面５８ｄに循環口５８ｅが設けられている。この循環口５８ｅは、槽本体５８ａに供給された水、洗浄液、消毒液等の液体を、後述する手段を介して内視鏡１０１，１１１の内部に具備された各管路に再循環させ、或いは、槽本体５８ａに供給された液体を、メッシュフィルタ等を介して後述する給水循環ノズル６１ｃから槽本体５８ａに再度供給させることができる。
【００４２】
更に、槽本体５８ａ底面の略中央部に、図示しないケース用管路が突設されており、このケース用管路に付属品洗浄ケース（以下、「洗浄ケース」と称する）５９が装着される。この洗浄ケース５９に内視鏡１０１，１１１の付属品が収納される。洗浄ケース５９にはケース用管路を経て、装置本体５２内に設けられているポンプから消毒液などの液体が供給され、収納されている付属品に対し、内視鏡１０１，１１１と共にリプロセスが施される。
【００４３】
又、槽本体５８ａの側面に、槽本体５８ａに供給される液体の水位を検出する水位センサ６０が設けられ、更に、テラス部５８ｂに、装置本体５２に収納されている洗剤タンクから洗剤用ポンプにより洗浄剤を処理槽５８へ供給する洗剤ノズル６１ａ、及び、装置本体５２に収納されている薬液タンクから薬液ポンプにより、消毒液を処理槽５８へ供給する消毒液ノズル６１ｂが配設されている。更に、このテラス部５８ｂには、処理槽５８へ給水し、或いは槽本体５８ａの循環口５８ｅから吸引した液体を、再度処理槽５８へ供給する給水循環ノズル６１ｃが配設されている。
【００４４】
又、テラス部５８ｂには、内視鏡１０１，１１１の内部に具備された複数の管路に対し、水、洗浄液、アルコール、消毒液、或いは、エア等を供給する複数（本実施形態では、４つ）のポート６２と漏水検知用ポート６３とが配設されている。この各ポート６２は、内視鏡１０１，１１１内の、吸引管路、副送水管路、送気送水管路、鉗子口等の各管路に洗浄液などを供給するコネクタ部であり、図示しない接続チューブを介して、内視鏡１０１，１１１に備えられている、吸引管路、送気送水管路、鉗子口、副送水管路等に連通する周知の口金に各々接続される。
【００４５】
更に、槽本体５８ａの壁面５８ｄに、内視鏡用保持網１に設けられているピン端子部２１が接続されるピンジャック部６４が設けられている。図７に示すように、このピンジャック部６４の挿入口には防水グロメット６５が装着されている。この防水グロメット６５は防水膜６５ａが一体形成されており、ピン端子部２１を挿通すると、中央に形成されているスリット６５ｂを押し広げて挿入され、ピン端子部２１の周囲にスリット６５ｂが密着されて、水密性が確保される。一方、ピン端子部２１を抜去するとスリット６５ｂが閉じて水密性が保持される。又、ピンジャック部６４の挿入筒６４ａに、ピン端子部２１に形成されているパート用接点２２ａ，２２ｂ、及びパート用接点群２２ｃ〜２２ｅに対応する接点６４ｂ，６４ｂ……が設けられている。
【００４６】
図８に示すように、槽本体５８ａの窪みに内視鏡用保持網１を配置すると、この内視鏡用保持網１に設けられているコネクタバー２０の先端側に形成されているピン端子部２１が、槽本体５８ａの壁面５８ｄに形成されているピンジャック部６４に装着され、ピン端子部２１に形成されているパート用接点２２ａ，２２ｂ、及びパート用接点群２２ｃ〜２２ｅが、ピンジャック部６４に設けられている各接点６４ｂに接続される。
【００４７】
この各接点６４ｂは装置本体５２に内装されている制御部６の、後述する信号端子部６ａ〜６ｃに接続されている。図１１に示すように、この制御部６はマイクロコンピュータを中心として構成されており、通常のリプロセスを実行させる機能に加え、内視鏡１０１，１１１の各部位を内視鏡用保持網１に載置する際に各発光強調部３１，３６Ａ〜３６Ｃを所定に表示させることで、各内視鏡１０１，１１１の載置位置を誘導するインジケータ機能を備えている。
【００４８】
制御部６における内視鏡１０１，１１１を載置する際のインジケータ機能を実行する構成として、この制御部６の通信系信号端子部６ａに無線ＩＤ送受信部５６が接続され、第１信号部としての駆動系信号端子部６ｂに各発光強調部３１，３６Ａ〜３６Ｃが接続され、又、第２信号部としてのセンサ系信号端子部６ｃに各パートセンサ２５〜２９が接続されている。更に、制御部６には電源部７１とメイン操作部５５とが接続されている。電源部７１は、ＡＣコンセントに接続されて外部電力を制御部６、及び、その他の回路に供給する。
【００４９】
制御部６は、通信系に接続されている無線ＩＤ送受信部５６を介して受信したユーザＩＤに基づき作業者が登録されているか否かを認識し、又、受信したスコープＩＤに基づき機種番号等、内視鏡個体情報、認識情報、修理履歴、洗浄回数等の履歴情報を認識する。そして、制御部６は、スコープＩＤに対応する内視鏡情報をメイン操作部５５に表示させると共に、スコープＩＤから当該内視鏡１０１，１１１の形状・寸法データを認識する。
【００５０】
制御部６は、認識した内視鏡１０１，１１１の形状・寸法から内視鏡用保持網１への適正な配置位置を決定し、各発光強調部３１，３６Ａ〜３６Ｃを適宜発光表示させて、誘導する。尚、制御部６のメモリには、登録されているユーザＩＤに対応するユーザ情報、及び内視鏡の機種番号（個体情報）と発光強調部３１，３６Ａ〜３６Ｃの発光位置との関係を記録したデータベースが備えられており、制御部６はデータベースを参照することで発光強調部３１，３６Ａ〜３６Ｃの発光や点滅を制御する。又、制御部６には、内視鏡に設けた管路コネクタ部（図示せず）に接続するコネクタ受け部を有する電源送受信ユニット、内視鏡を処理槽５８に固定するための電磁石ユニット等が接続されているが、周知であるため説明は省略する。
【００５１】
次に、このような構成からなる内視鏡用リプロセス装置５１の作用、即ち、内視鏡をリプロセスする際の動作を、図１２のリプロセスルーチンを用いて説明する。尚、以下においては、便宜的に、最初に載置する内視鏡を第１内視鏡１０１とし、次に載置する内視鏡を第２内視鏡１１１として説明する。
【００５２】
内視鏡検査等を終了した使用済みの内視鏡１０１，１１１は、先ず、ベットサイドにて予備洗浄し、その後、流し台等で更に洗浄される。そして、所定に洗浄され内視鏡１０１，１１１に対し、内視鏡用リプロセス装置５１を用いた本洗浄が行われる。
【００５３】
本洗浄を行うに際しては、先ず、ステップＳ１で、ユーザＩＤが入力されるまで待機し、ユーザＩＤが入力された場合、ステップＳ２へ進み、ユーザＩＤに対応するユーザが認識されたか否かを、制御部６のメモリに記録されているデータベースと照合して判定する。そして、ユーザが認識された場合、ステップＳ３へ進む。一方、認識されなかった場合、ステップＳ１へ戻る。尚、ステップＳ１へ戻るに際しては、メイン操作部５５に「作業者が認識されません」等のエラー表示を行ったり、図示しないスピーカから作業者を認識できなかった旨を音声で報知するようにしても良い。
【００５４】
又、ステップＳ３へ進むと、第１スコープＩＤが入力されるまで待機する。尚、本実施形態では、最初に載置される内視鏡のスコープＩＤを第１スコープＩＤ、次に載置される内視鏡のスコープＩＤを第２スコープＩＤと称する。
【００５５】
そして、第１スコープＩＤが入力された場合、ステップＳ４へ進み、第１スコープＩＤ認識処理を実行してステップＳ５へ進む。この第１スコープＩＤ認識処理は、図１３に示すスコープＩＤ認識処理サブルーチンに従って実行される。
【００５６】
このサブルーチンでは、先ず、ステップＳ２１で、制御部６のメモリに記録されているデータベースを参照して、スコープＩＤに対応する機種を認識し、ステップＳ２２へ進み、認識した機種の誘導情報をデータベースから読込む。そして、ステップＳ２３へ進み、読込んだ誘導情報を送信し、図１２のステップＳ５へ進む。尚、このステップでの処理が、本発明の第１信号制御部に対応している。
【００５７】
ステップＳ５では、第１スコープＩＤに対応する誘導情報を読込み、各発光強調部３１，３６Ａ〜３６Ｃの発光表示処理を実行する。例えば、第１スコープＩＤに基づいて認識した機種が、図６に示す第１内視鏡１０１の場合、内視鏡１０１に装備されている部位の誘導順は、最初に操作部１０２が載置され、２番目に挿入部１０３が巻回され、そして、ユニバーサルコード１０４を巻回した後、コネクタ１０５が３番目に載置される。そのため、先ず、図８に示すように、未だ、内視鏡１０１が載置されていない内視鏡用保持網１の第２仕切部１９ａに設けられている操作部パート用発光強調部３６Ｃを点灯（或いは点滅）させ、作業者に、内視鏡１０１の操作部１０２を第１操作部保持部３ａに載置させることを促す。
【００５８】
操作部１０２を載置する第１操作部保持部３ａには第１操作部パートセンサ２６が配設されており、制御部６は、第１操作部パートセンサ２６からの検知信号を受信した場合、操作部１０２が第１操作部保持部３ａに所定に載置保持されたと判定する。そして、制御部６は操作部パート用発光強調部３６Ｃを消灯させると共に、挿入部保持部２ａの内周を区画する挿入部内周係止部１２の立設部１２ａに設けられている挿入部パート用発光強調部３１を点灯（或いは点滅）させ、作業者に挿入部１０３の載置を促す。
【００５９】
この挿入部保持部２ａの外周を区画する挿入部外周係止部１１ｂには挿入部パートセンサ２９が設けられており、制御部６は挿入部パートセンサ２９からの検知信号を受信した場合、挿入部１０３が挿入部保持部２ａに所定に巻回保持されたと判定する。そして、制御部６は挿入部パート用発光強調部３１を消灯させると共に、ユニバーサル保持部２ｂの内周を区画するユニバーサル内周係止部１４の立設部１４ａと終端係止部１５のフック１５ａとに設けられているユニバーサルパート用発光強調部３６Ａ、及び第１載置フレーム１８の第１仕切部１８ｂに設けられているコネクタパート用発光強調部３６Ｂを点灯（或いは点滅）させ、作業者にユニバーサルコード１０４、及びその終端に一体のコネクタ１０５の載置を促す。
【００６０】
第１載置フレーム１８の第１コネクタ保持部３ｂには第１コネクタパートセンサ２５が設けられており、制御部６は第１コネクタパートセンサ２５からの検知信号を受信した場合、ユニバーサルコード１０４がユニバーサル保持部２ｂに所定に巻回保持され、又、コネクタ１０５が第１コネクタ保持部３ｂに所定に載置保持されたと判定し、ユニバーサルパート用発光強調部３６Ａとコネクタパート用発光強調部３６Ｂとを消灯させる。これにより、制御部６は、図９に示すように、内視鏡用保持網１に対し内視鏡１０１が所定に載置保持されたと判定し、ステップＳ６へ進む。
【００６１】
尚、制御部６は、第１コネクタパートセンサ２５からの検知信号を受信して、コネクタ１０５が所定に載置保持されたと判定した場合、各発光強調部３１，３６Ａ〜３６Ｃの全てを一旦点灯させた後、消灯させて、作業者に内視鏡１０１の載置が完了したことを知らせるようにしても良い。又、内視鏡の機種によってはユニバーサルコードを備えていなものもあり、このような場合、挿入部の載置が完了したとき、内視鏡の載置が完了したと判定するため、ユニバーサルパート用発光強調部３６Ａとコネクタパート用発光強調部３６Ｂとは点灯（或いは点滅）しない。
【００６２】
又、ステップＳ６へ進むと、トップカバー５３が閉じられたか否かを調べる。トップカバー５３が閉じられた否かは、例えば、ラッチ部５４にトップカバー５３が開放状態でＯＮするカバースイッチ（図示せず）を配設し、制御部６がカバースイッチからのＯＦＦ信号を受信した場合、トップカバー５３が閉じられたと判定する。そして、カバースイッチからＯＮ信号を受信している場合、トップカバー５３は開状態と判定し、ステップＳ７へ進む。又、ＯＦＦ信号を受信した場合、トップカバー５３は閉状態と判定し、ステップＳ８へジャンプする。
【００６３】
ステップＳ７へ進むと、制御部６に無線ＩＤ送受信部５６から第２スコープＩＤが入力されたか否かを調べ、入力されていない場合は、ステップＳ６へ戻り、トップカバー５３が閉じられ、或いは第２スコープＩＤが入力されるまで待機する。従って、今回のリプロメセス処理を行う内視鏡が１本の場合、最初の内視鏡１０１の載置が完了した後、トップカバー５３を閉じることで、プログラムはステップＳ８へ進む。
【００６４】
そして、第２スコープＩＤが入力された場合、ステップＳ９へ進み、第２スコープＩＤ認識処理を実行する。この第２スコープＩＤ認識処理は、上述した第１スコープＩＤ認識処理と同様、図１３に示すスコープＩＤ認識処理サブルーチンに従って実行されるため、ここでの説明は省略する。
【００６５】
その後、ステップＳ９からステップＳ１０へ進むと、上述したステップＳ９で認識した第２スコープＩＤに対する誘導情報を読込み、各発光強調部３１，３６Ａ〜３６Ｃの発光表示処理を実行する。尚、このステップでの処理が、本発明の第１信号制御部に対応している。
【００６６】
例えば、第２スコープＩＤに基づいて認識した機種が、図６に示す第２内視鏡１１１の場合、内視鏡１１１に装備されている部位の誘導順は、最初に操作部１１２が載置され、２番目に挿入部１１３が載置され、そして、ユニバーサルコード１１４を巻回した後、３番目にコネクタ１１５が載置されるため、図９に示す内視鏡１０１の載置が既に完了している内視鏡用保持網１に対し、先ず、第２仕切部１９ａに設けられている操作部パート用発光強調部３６Ｃを点灯（或いは点滅）させ、作業者に、内視鏡１１１の操作部１１２を第２操作部保持部３ｃに載置させることを促す。この操作部１１２を載置する第２操作部保持部３ｃには第２操作部パートセンサ２７が配設されており、制御部６は、第２操作部パートセンサ２７からの検知信号を受信した場合、操作部１１２が第２操作部保持部３ｃに所定に載置保持されたと判定し、操作部パート用発光強調部３６Ｃを消灯させると共に挿入部内周係止部１２に設けられている挿入部パート用発光強調部３１を点灯（或いは点滅）させ、作業者に挿入部１１３の載置を促す。
【００６７】
そして、制御部６は、挿入部保持部２ａの挿入部外周係止部１１ｂに設けられている挿入部パートセンサ２９からの検知信号が送信されるまで待機する。尚、内視鏡用保持網１の挿入部保持部２ａには、既に内視鏡１０１の挿入部１０３が巻回されているため、制御部６は、例えば、上述したステップＳ９での第２スコープＩＤ認識処理において、挿入部パートセンサ２９の感度を、予め設定した感度まで下げ、挿入部１１３が検知できるように調整する。
【００６８】
その後、制御部６が挿入部パートセンサ２９２９からの検知信号を受信した場合、挿入部１１３が挿入部保持部２ａに所定に巻回保持されたと判定し、挿入部パート用発光強調部３１を消灯させると共に、ユニバーサル内周係止部１４と終端係止部１５に設けられているユニバーサルパート用発光強調部３６Ａ、及び第１載置フレーム１８に設けられているコネクタパート用発光強調部３６Ｂを点灯（或いは点滅）させ、作業者にユニバーサルコード１１４、及びコネクタ１１５の載置を促す。
【００６９】
第２載置フレーム１９の第２コネクタ保持部３ｄには第２コネクタパートセンサ２８が設けられており、制御部６は第２コネクタパートセンサ２８からの検知信号を受信した場合、ユニバーサルコード１１４がユニバーサル保持部２ｂに所定に巻回保持され、且つ、コネクタ１１５が第２コネクタ保持部３ｄに所定に載置保持されたと判定し、ユニバーサルパート用発光強調部３６Ａとコネクタパート用発光強調部３６Ｂとを消灯させる。
【００７０】
これにより、制御部６は、図１０に示すように、内視鏡用保持網１に対し内視鏡１１１が所定に載置保持されたと判定し、ステップＳ６へ戻る。尚、この場合、上述と同様、制御部６は、第２コネクタパートセンサ２８からの検知信号を受信して、コネクタ１１５が所定に載置保持されたと判定した場合、各発光強調部３１，３６Ａ〜３６Ｃの全てを一旦点灯させた後、消灯させて、作業者に、内視鏡１１１の載置が完了したことを知らせるようにしても良い。
【００７１】
その後、ステップＳ６へ進むと、トップカバー５３が閉じられるまで待機する。内視鏡用リプロセス装置５１は、３本以上の内視鏡を載置することができないため、２本目の内視鏡１１１の載置が完了すると、ステップＳ７へ進んでも、第２スコープＩＤは入力されないため、実質的に、ステップＳ５においてトップカバー５３が閉じられるまで待機することになる。
【００７２】
そして、制御部６は、カバースイッチからのＯＦＦ信号を受信した場合、トップカバー５３が閉じられたと判定し、ステップＳ８へ分岐する。ステップＳ８では、装置本体５２に配設されたメイン操作部５５の洗浄消毒処理スタートスイッチ（ＳＷ）が、作業者によりＯＮされたことを検知すると給水が開始され、給水循環ノズル６１ｃから所定に濾過された水道水が処理槽５８に供給される。その間、処理槽５８に供給された水道水の水位が水位センサ６０で検知され、設定水位に達したとき給水を終了して、ステップＳ１１へ進む。
【００７３】
ステップＳ１１では、異常の有無を判定するための各種チェックが行われる。チェック項目は、基本項目と機種別項目とがある。基本項目は洗浄消毒の対象となる内視鏡１０１，１１１の機種に関係なく一律に実行される項目であり、漏水チェック、管路詰まりチェック、内視鏡１０１，１１１の図示しないＣＣＤに結像された画像チェック等がある。
【００７４】
一方、機種別項目は、読込んだ機種番号に基づいて、内視鏡毎に対応する項目が自動的に設定される。例えば、内視鏡１０１，１１１の処理槽５８内への載置状態をチェックするため、トップカバー５３と内視鏡１０１，１１１の接触を検出するセンサを設け、このセンサからの信号に基づいて、内視鏡１０１，１１１毎に処理槽５８内に適切に載置されているか否かをチェックする。
【００７５】
ステップＳ１２では、これらのチェックの結果、１つでも異常と判定された場合は、ステップＳ１３へ分岐し、内視鏡１０１，１１１が異常であることをメイン操作部５５に表示させる等して、異常の告知を行った後、ステップＳ１４へ進み、リプロセスを停止させて、ルーチンを終了する。尚、異常を告知する手段は種々のものが考えられ、例えば、モニタにその旨を表示させたり、或いはブザーを吹鳴したり、スピーカからの疑似音声にて行っても良い。或いは、メイン操作部５５に異常表示ランプを設け、このランプを点灯させることで行うようにしても良い。
【００７６】
一方、チェック項目の全てが正常と判定された場合、ステップＳ１５へ進み、リプロセスを開始する。リプロセスは、自動運転により行われ、リプロセスとして、洗浄・消毒処理が行われる場合、洗浄工程において、先ず、洗剤タンクに貯留されている液体洗剤を洗剤ノズル６１ａから処理槽５８に適量吐出され、吐出された液体洗剤が処理槽５８に貯留されている水道水に混入されることにより洗浄水が生成される。
【００７７】
そして、洗浄工程では、内視鏡１０１，１１１の外周壁面、及び内周壁面に設けた高圧ノズルから、処理槽５８に貯留されている洗浄水を噴出して処理槽５８内に水流を生成し、更に、この水流を超音波振動子の駆動により振動させ、内視鏡１０１，１１１の外表面を洗浄水の水流と超音波振動とにより洗浄する。
【００７８】
又、給水循環ノズル６１ｃから洗浄水を吐出させ、この洗浄水を循環口５８ｅから吸い込ませて処理槽５８を循環させ、同時に、内視鏡１０１，１１１の各管路に洗浄水を供給して、各管路内を洗浄する。その後、洗浄水を処理槽５８の底面に設けられている排水口５８ｃを開いて排水させる。排水が所定に終了した後、排水口５８ｃを閉じると共に、循環口５８ｅと給水循環ノズル６１ｃとを遮断して、洗浄工程を終了する。
【００７９】
次いで、消毒工程が開始される。ここでは、先ず、薬液タンクに貯留されている消毒液を消毒液ノズル６１ｂに送給し、この消毒液ノズル６１ｂから処理槽５８に消毒液を供給し、消毒液の水位が設定水位に達した後、処理槽５８に供給されている消毒液を循環口５８ｅから吸い込んで内視鏡１０１，１１１の各管路に注入し、設定時間循環させて消毒する。そして、内視鏡１０１，１１１を所定に消毒した後、この消毒液は、ある回数繰り返し使用されるため、排水口５８ｃから薬液タンクに戻されて回収されて、洗浄工程を終了する。
【００８０】
その後、ステップＳ１６へ進み、すすぎ工程が開始される。すすぎ工程では、給水循環ノズル６１ｃから所定に濾過された水道水が処理槽５８に供給され、設定水位に達した後、上述した洗浄工程と同様、処理槽５８に貯留されている水道水を所定時間循環させて、すすぎを行い排水する。その間、すすぎ回数を計数し、設定回数に達したとき、すすぎを終了する。そして、最後のすすぎ工程において使用された水道水が所定に排水された後、送気工程が開始され、内視鏡１０１，１１１の各管路にエアを送気して、各管路内を除水、乾燥させる。次いで、アルコールフラッシュ工程が開始され、アルコールタンクに貯留されているアルコールが少量だけ、内視鏡１０１，１１１の各管路に送液した後、内視鏡１０１，１１１の各管路へエアを送気して、乾燥させる。
【００８１】
その後、ステップＳ１７へ進み、内視鏡用リプロセス装置５１のトップカバー５３を開き、内視鏡１０１，１１１を処理槽５８から取り出して、内視鏡１０１，１１１の洗浄消毒工程を終了する。
【００８２】
このように、本実施形態では、内視鏡１０１，１１１を処理槽５８にセットされている内視鏡用保持網１に載置するに際し、スコープＩＤを読込んで、機種に応じて内視鏡１０１，１１１の各部位（操作部１０２，１１２、挿入部１０３，１１３、ユニバーサルコード１０４，１１４、コネクタ１０５，１１５）を載置する位置を、載置手順に従って誘導するようにしたので、内視鏡用保持網１に内視鏡を載置するに際し、経験の浅い作業者であっても、機種毎の内視鏡の載置手順、及び２本の内視鏡を載置する際の載置手順を視覚的に示唆されるので、説明書を一々確認することなく、設置手順を正しく認識させることができ、作業時間を大幅に短縮させることができる。
【００８３】
尚、本発明は、上述した実施形態に限るものではなく、例えば、図１、図４（ｅ）に示す第２載置フレーム１９の第２仕切部１９ａに設けられている操作部パート用発光強調部３６Ｃを省略し、それに代えて単なる着色表示として、最初に載置する部位を視覚的に明示するようにしても良い。更に、各パート用発光強調部３６Ａ〜３６Ｃは、各部位が所定に載置保持された場合、消灯するよう設定されているが、発光色を、例えば、赤色から緑色に変色させるようにしても良い。この場合、光源部３３，３８に設けられている発光素子３３ａ，３８ａは、異なる発光色の発光素子を備える可変色発光素子（可変色体）となる。
【符号の説明】
【００８４】
１…内視鏡用保持網、２…環状載置部、２ａ…挿入部保持部、２ｂ…ユニバーサル保持部、３…延出載置部、３ａ…第１操作部保持部、３ｂ…第１コネクタ保持部、３ｃ…第２操作部保持部、３ｄ…第２コネクタ保持部、４…枠体、６…制御部、１１ａ，１１ｂ…挿入部外周係止部、１２…挿入部内周係止部、１２ａ，１４ａ，１６ａ…立設部、１３…ユニバーサル外周係止部、１３ａ，１５ａ…フック、１４…ユニバーサル内周係止部、１５…終端係止部、１６…基部係止部、１７…支持フレーム、１８…第１載置フレーム、１８ａ…底部、１８ｂ…第１仕切部、１９…第２載置フレーム、１９ａ…第２仕切部、１９ｂ…コネクタ係止部、２０…コネクタバー、２１…ピン端子部、２２ａ…操作部パート用接点、２２ｂ…コネクタパート用接点、２２ｃ…挿入部パート用接点群、２２ｄ…ユニバーサルパート用接点群、２２ｅ…センサ用接点群、２３…配線基板、２５…第１コネクタパートセンサ、２６…第１操作部パートセンサ、２７…第２操作部パートセンサ、２８…第２コネクタパートセンサ、２９…挿入部パートセンサ、３１…挿入部パート用発光強調部、３２，３７…棒状表示部、３２ａ，３７ａ…コア材、３２ｂ，３７ｂ…クラッド材、３３，３８…光源部、３３ａ，３８ａ…発光素子、３３ｂ，３８ｂ…基板、３４ａ，３４ｂ，３９ａ，３９ｂ…リード線、３６…発光強調部、３６Ａ…ユニバーサルパート用発光強調部、３６Ｂ…コネクタパート用発光強調部、３６Ｃ…操作部パート用発光強調部、５１…内視鏡用リプロセス装置、５２…装置本体、５３…トップカバー、５４…ラッチ部、５５…メイン操作部、５６…無線ＩＤ送受信部、５７…給水ホース接続口、５８…処理槽、５８ａ…槽本体、５８ｂ…テラス部、５８ｃ…排水口、５８ｄ…壁面、５８ｅ…循環口、５９…付属品洗浄ケース、６０…水位センサ、６１ａ…洗剤ノズル、６１ｂ…消毒液ノズル、６１ｃ…給水循環ノズル、６２…ポート、６３…漏水検知用ポート、６４…ピンジャック部、６４ａ…挿入筒、６４ｂ…接点、６５…防水グロメット、６５ａ…防水膜、６５ｂ…スリット、７１…電源部、１０１，１１１…内視鏡、１０２，１１２…操作部、１０３，１１３…挿入部、１０４，１１４…ユニバーサルコード、１０５，１１５…コネクタ、１１４…ユニバーサルコード
【図１】
2014226153.tif 000003
【図２】
2014226153.tif 000004
【図３】
2014226153.tif 000005
【図４】
2014226153.tif 000006
【図５】
2014226153.tif 000007
【図６】
2014226153.tif 000008
【図７】
2014226153.tif 000009
【図８】
2014226153.tif 000010
【図９】
2014226153.tif 000011
【図１０】
2014226153.tif 000012
【図１１】
2014226153.tif 000013
【図１２】
2014226153.tif 000014
【図１３】
2014226153.tif 000015
【図１４】
2014226153.tif 000016
【図１５】
2014226153.tif 000017
【図１６】
2014226153.tif 000018
【図１７】
2014226153.tif 000019
【図１８】
2014226153.tif 000020